(57)【要約】【課題】  アパーチャー補正により、プリシュート成分やオーバーシュート成分を抑制し、しかも立ち上がり波形の急峻度を十分に高めた映像信号が得られるようにする。【解決手段】  入力信号Ｄ０を所定時間だけ遅延させた信号Ｄ１と、この信号Ｄ１をこの所定時間だけ遅延させた信号Ｄ２とを生成する遅延手段３１，３２と、入力信号Ｄ０，信号Ｄ１及び信号Ｄ２から、（Ｄ１−Ｄ０）と（Ｄ１−Ｄ２）との和成分を生成する演算手段３３〜３５と、この和成分から、正の極性の信号，負の極性の信号のみをそれぞれ抽出する抽出手段３６，３７と、この負の極性の信号を、この所定時間の略２倍の時間だけ遅延させる第２の遅延手段３８，３９と、この正の極性の信号と第２の遅延手段３８，３９で遅延された負の極性の信号とを加算する加算手段４０と、加算手段４０の出力信号の利得を制御する利得制御手段４１と、利得制御手段４１の出力信号を信号Ｄ２に重畳させる第２の加算手段４２とを備える。【選択図】  図４
2005223848.tif 000002
【特許請求の範囲】
【請求項１】
入力信号Ｄ０を所定時間だけ遅延させた信号Ｄ１と、前記信号Ｄ１を前記所定時間だけ遅延させた信号Ｄ２とを生成する遅延手段と、
前記入力信号Ｄ０，前記信号Ｄ１及び前記信号Ｄ２から、（Ｄ１−Ｄ０）と（Ｄ１−Ｄ２）との和成分を生成する演算手段と、
前記和成分から、正の極性の信号，負の極性の信号のみをそれぞれ抽出する抽出手段と、
前記負の極性の信号を、前記所定時間の略２倍の時間だけ遅延させる第２の遅延手段と、
前記正の極性の信号と、前記第２の遅延手段で遅延された前記負の極性の信号とを加算する加算手段と、
前記加算手段の出力信号の利得を制御する利得制御手段と、
前記利得制御手段の出力信号を前記信号Ｄ２に重畳させる第２の加算手段と
を備えたことを特徴とする輪郭強調回路。
【請求項２】
請求項１に記載の輪郭強調回路において、
前記信号Ｄ２を前記所定時間だけ遅延させた信号Ｄ３を生成する遅延手段と、
前記信号Ｄ１と、前記信号Ｄ３と、前記第２の加算手段の出力信号とのうちの中央値の信号を選択する中央値選択手段と
をさらに備えたことを特徴とする輪郭強調回路。
【請求項３】
入力信号Ｄ０を所定時間だけ遅延させた信号Ｄ１と、前記信号Ｄ１を前記所定時間だけ遅延させた信号Ｄ２とを生成する第１のステップと、
前記入力信号Ｄ０，前記信号Ｄ１及び前記信号Ｄ２から、（Ｄ１−Ｄ０）と（Ｄ１−Ｄ２）との和成分を生成する第２のステップと、
前記和成分から、正の極性の信号，負の極性の信号のみをそれぞれ抽出し、前記負の極性の信号を、前記所定時間の略２倍の時間だけ遅延させた後、前記正の極性の信号と加算する第３のステップと、
前記第３のステップでの加算出力を、利得を制御した後、前記信号Ｄ２に重畳させる第４のステップと
を有することを特徴とする輪郭強調方法。
【請求項４】
請求項３に記載の輪郭強調方法において、
前記信号Ｄ２を前記所定時間だけ遅延させた信号Ｄ３を生成するステップと、
前記信号Ｄ１と、前記信号Ｄ３と、前記第４のステップで重畳した信号とのうちの中央値の信号を選択するステップと
をさらに有することを特徴とする輪郭強調方法。
【発明の詳細な説明】
【技術分野】
【０００１】
本発明は、画像の鮮鋭度を高めるための輪郭強調回路及び輪郭強調方法に関し、特に、プリシュートやオーバーシュートを抑制できるようにしたものに関する。
【背景技術】
【０００２】
テレビジョン受像機用の映像信号処理装置では、一般に、表示する画像の鮮鋭度を高めるための処理が行われている。
【０００３】
ＣＲＴに画像を表示する際に特有の処理としては、速度変調（ＶＭ：Velocity Modulation）と呼ばれる処理がある。これは、映像信号の２次微分成分を求め、陰極線管を走査する電子ビームの速度をこの微分成分で変調することにより、例えば映像信号の立ち上がり部分（画像が黒から白に変化する輪郭の部分）の直前では走査速度を高速にして画像をより黒くするとともに、この立ち上がり部分の直後では走査速度を低速にして画像をより白くするものである。
【０００４】
しかし、この速度変調は、ＬＣＤ（液晶ディスプレイ）やＰＤＰ（プラズマ・ディスプレイ・パネル）のような固定画素方式の表示素子には用いることができない。固定画素方式の表示素子にも適用可能なより一般的な処理としては、アパーチャー補正と呼ばれる処理がある。これは、映像信号を遅延させて輪郭補正（アパーチャー補正）信号を作成し、この輪郭補正信号を原映像信号に重畳するものである（例えば、非特許文献１参照。）。
【０００５】
図９は、このアパーチャー補正を行う回路（輪郭強調回路）の従来の構成例を示す。この輪郭強調回路には、遅延素子５１，５２と、インバータアンプ５３，５４と、加算器５５，５７と、アンプ５６とが設けられている。遅延素子５１，５２は、それぞれ１画素分の遅延時間を有している。
【０００６】
入力端子２０１からこの輪郭強調回路に入力した映像信号Ｄ０は、遅延素子５１で１画素分遅延され、さらに遅延素子５２で１画素分遅延される。また、この入力信号Ｄ０にインバータアンプ５３で係数−１／２が乗算されるとともに、遅延素子５２の出力信号Ｄ２にインバータアンプ５４で係数−１／２が乗算される。
【０００７】
そして、遅延素子５１の出力信号Ｄ１とインバータアンプ５３の出力信号−Ｄ０／２とインバータアンプ５４の出力信号−Ｄ２／２とが加算器５５で加算されることにより、次式〔１〕のようにして、映像信号の高域成分である輪郭補正信号ＡＰが得られる。
〔数１〕
ＡＰ＝（Ｄ１−Ｄ０）／２＋（Ｄ１−Ｄ２）／２
＝Ｄ１−Ｄ０／２−Ｄ２／２            …〔１〕
【０００８】
この輪郭補正信号ＡＰは、アンプ５６で係数ｋ（例えば０．０から１．３の間の値）を乗算されることによって利得制御された後、加算器５７で遅延素子５１の出力信号Ｄ１と加算される。このようにして、輪郭強調処理を施された映像信号Ｄ１＋ＡＰ×ｋが得られ、この映像信号Ｄ１＋ＡＰ×ｋがこの輪郭強調回路の出力端子２０２から出力される。
【０００９】
図１０は、図９の輪郭強調回路による入力信号Ｄ０の輪郭強調の様子を例示する波形図である（縦軸・横軸の振幅・時間の数値は、それぞれ正規化した値である）。図１０（ａ）に示すように、２Ｔパルスの形状の立ち上がり波形を持った映像信号Ｄ０がこの輪郭強調回路に入力したとする。２Ｔパルスは、正弦関数を２乗し、パルス幅を映像信号の帯域の逆数（例えばＮＴＳＣ信号の輝度信号に対しては帯域幅４．２ＭＨｚの逆数である約２４０ナノ秒）にした信号であり、フーリエ変換した際のスペクトラム成分が映像信号の帯域幅内に収まるので、映像信号の帯域特性を測定するのに最も適した信号として知られている。
【００１０】
この入力信号Ｄ０から、図１０（ａ）に示すように、入力信号Ｄ０を１画分遅延させた信号Ｄ１と、入力信号Ｄ０を２画素分遅延させた信号Ｄ２とが生成される。
【００１１】
図１０（ｂ）に、この入力信号Ｄ０と信号Ｄ１との差分（Ｄ１−Ｄ０）と、信号Ｄ２と信号Ｄ１との差分（Ｄ１−Ｄ２）とを示す。差分（Ｄ１−Ｄ０）は、入力信号Ｄ０の立ち上がり部分におけるプリシュート成分に該当する高域成分である。また、差分（Ｄ１−Ｄ２）は、入力信号Ｄ０の立ち上がり部分におけるオーバーシュート成分に該当する高域成分である。
【００１２】
したがって、この差分（Ｄ１−Ｄ０）と差分（Ｄ１−Ｄ２）との和成分を求めることにより、図１０（ｂ）に示すように、前述の式〔１〕の輪郭補正信号ＡＰが得られる（実際の回路では、演算回数を減らすために、図９にも示したように、Ｄ１と−Ｄ０／２と−Ｄ２／２とを加算することによってこの和成分が求められる。）
【００１３】
この輪郭補正信号ＡＰが、係数ｋを乗算することによって利得を制御され、信号Ｄ１に重畳されることにより、図１０（ｃ）に示すように、立ち上がり波形が急峻にされるとともに立ち上がり波形の前縁部分，後縁部分にそれぞれプリシュート成分，オーバーシュート成分が付加された信号Ｄ１＋ＡＰ×ｋが得られる。
【非特許文献１】日本放送協会編「テレビ技術教科書（上巻）」，第１刷，平成元年４月，日本放送出版協会，ｐ．１５６
【発明の開示】
【発明が解決しようとする課題】
【００１４】
しかし、この図９に示した輪郭強調回路では、図１０（ｃ）にも表れているように、画像の鮮鋭度を高めようとして立ち上がり波形を急峻にすると、プリシュート成分やオーバーシュート成分が大きくなりすぎて、却って画質が劣化してしまう。逆に、プリシュート成分やオーバーシュート成分を抑制しようとすると、立ち上がり波形の急峻度がもとの映像信号とあまり変らなくなってしまうので、画像の鮮鋭度を高めることができなくなる。
【００１５】
本発明は、上述の点に鑑み、アパーチャー補正により、プリシュート成分やオーバーシュート成分を抑制し、しかも立ち上がり波形の急峻度を十分に高めた映像信号が得られるようにすることを課題としてなされたものである。
【課題を解決するための手段】
【００１６】
この課題を解決するために、本発明に係る輪郭強調回路は、入力信号Ｄ０を所定時間だけ遅延させた信号Ｄ１と、この信号Ｄ１をこの所定時間だけ遅延させた信号Ｄ２とを生成する遅延手段と、この入力信号Ｄ０，信号Ｄ１及び信号Ｄ２から、（Ｄ１−Ｄ０）と（Ｄ１−Ｄ２）との和成分を生成する演算手段と、この和成分から、正の極性の信号，負の極性の信号のみをそれぞれ抽出する抽出手段と、この負の極性の信号を、この所定時間の略２倍の時間だけ遅延させる第２の遅延手段と、この正の極性の信号とこの第２の遅延手段で遅延された負の極性の信号とを加算する加算手段と、この加算手段の出力信号の利得を制御する利得制御手段と、この利得制御手段の出力信号を信号Ｄ２に重畳させる第２の加算手段とを備えたことを特徴とする。
【００１７】
この輪郭強調回路では、入力信号Ｄ０と、入力信号Ｄ０を所定時間だけ遅延させた信号Ｄ１と、この信号Ｄ１をこの所定時間だけ遅延させた信号Ｄ２とから、（Ｄ１−Ｄ０）と（Ｄ１−Ｄ２）との和成分が生成される。そして、この和成分から正の極性の信号，負の極性の信号のみがそれぞれ抽出され、この負の極性の信号がこの所定時間の略２倍の時間だけ遅延される。
【００１８】
そして、この正の極性の信号，遅延された負の極性の信号をそれぞれオーバーシュート成分，プリシュート成分としてこの２つの信号を加算することにより、輪郭補正信号が得られる。
【００１９】
この輪郭補正信号が、利得を制御されて信号Ｄ２に重畳されることにより、プリシュート成分やオーバーシュート成分を適度に抑制し、しかも立ち上がり波形の急峻度を十分に高めた映像信号が得られる。
【００２０】
なお、この輪郭強調回路において、一例として、信号Ｄ２をこの所定時間だけ遅延させた信号Ｄ３を生成する遅延手段と、信号Ｄ１と、信号Ｄ３と、第２の加算手段の出力信号とのうちの中央値の信号を選択する中央値選択手段とをさらに備えることが好適である。
【００２１】
それにより、第２の加算手段の出力信号のうちの立ち上がり波形の前縁部分，後縁部分（プリシュート成分，オーバーシュート成分が存在する部分）をそれぞれこの中央値選択手段によって信号Ｄ３，信号Ｄ１で置き換えて、プリシュート成分やオーバーシュート成分を完全に抑制することができるようになる。
【００２２】
次に、本発明に係る輪郭強調方法は、入力信号Ｄ０を所定時間だけ遅延させた信号Ｄ１と、この信号Ｄ１をこの所定時間だけ遅延させた信号Ｄ２とを生成する第１のステップと、この入力信号Ｄ０，信号Ｄ１及び信号Ｄ２から、（Ｄ１−Ｄ０）と（Ｄ１−Ｄ２）との和成分を生成する第２のステップと、この和成分から、正の極性の信号，負の極性の信号のみをそれぞれ抽出し、この負の極性の信号を、この所定時間の略２倍の時間だけ遅延させた後、この正の極性の信号と加算する第３のステップと、この第３のステップでの加算出力を、利得を制御した後、この信号Ｄ２に重畳させる第４のステップとを有することを特徴とする。
【００２３】
この輪郭強調方法によれば、前述の本発明による輪郭強調回路について説明したのと全く同様にして、プリシュート成分やオーバーシュート成分を適度に抑制し、しかも映像信号の立ち上がり波形の急峻度を十分に高めることができる。
【００２４】
なお、この輪郭強調方法においても、一例として、信号Ｄ２をこの所定時間だけ遅延させた信号Ｄ３を生成するステップと、信号Ｄ１と、信号Ｄ３と、第４のステップで重畳した信号とのうちの中央値の信号を選択するステップとをさらに有することが好適である。それにより、やはり、プリシュート成分やオーバーシュート成分を完全に抑制することができるようになる。
【発明の効果】
【００２５】
本発明によれば、プリシュート成分やオーバーシュート成分を適度に抑制し、しかも映像信号の立ち上がり波形の急峻度を十分に高めることができるので、画質を劣化させることなく、画像の鮮鋭度を高めることができるという効果が得られる。
【００２６】
さらに、プリシュート成分やオーバーシュート成分を完全に抑制することができるという効果も得られる。
【発明を実施するための最良の形態】
【００２７】
以下、テレビジョン受像機用の映像信号処理装置に本発明を適用した例について、図面を用いて具体的に説明する。
【００２８】
図１は、本発明を適用したテレビジョン受像機用の映像信号処理装置の全体構成を示すブロック図である。アンテナ１で受信され、フロントエンド部２で復調・選局されたコンポジットビデオ信号ＣＶＢＳが、Ａ／Ｄ変換器３で８ビットのデジタル信号に変換された後、デコーダ４でＹ／Ｃ分離・クロマデコードされてコンポーネント信号ＹＣＢＣＲに分離される。
【００２９】
このデジタルコンポーネント信号ＹＣＢＣＲは、スキャンコンバータ５で、表示素子であるＰＤＰ（プラズマ・ディスプレイ・パネル）８に応じたタイミング及び解像度の信号に変換された後、Ｙ色差ＲＧＢ処理部６に供給されて、映像信号処理を施されるとともにＲＧＢ信号にマトリクス変換される。
【００３０】
Ｙ色差ＲＧＢ処理部６から出力したＲＧＢ信号は、パネルドライバー７でサブフィールド変換等の処理を施されて、ＰＤＰ８に供給される。
【００３１】
図２は、Ｙ色差ＲＧＢ処理部６の構成を示すブロック図である。Ｙ色差ＲＧＢ処理部６に入力したデジタルコンポーネント信号は、マトリックス回路１１で輝度信号Ｙと色差信号ＣＢＣＲに分離（ＲＧＢ信号の場合はＹＣＢＣＲに変換された後輝度信号Ｙと色差信号ＣＢＣＲに分離）される。
【００３２】
輝度信号Ｙは、コントラスト処理回路１２，シャープネス処理回路１３でコントラスト系，シャープネス系の処理を施される。色差信号ＣＢＣＲは、サチュレーション処理回路１４，ヒュー処理回路１５で、それぞれカラーレベル（飽和度）の調整処理，ヒュー処理を施される。
【００３３】
これらの処理を施された輝度信号Ｙ及び色差信号ＣＢＣＲは、マトリックス回路１６でＲＧＢ信号に変換された後、ガンマ補正回路１７でガンマ補正処理を施され、ホワイトバランス回路１８でホワイトバランス処理を施されて、Ｙ色差ＲＧＢ処理部６から出力する。
【００３４】
図３は、図２のシャープネス処理回路１３の構成を示すブロック図である。シャープネス処理回路１３には、水平方向輪郭強調回路２１と、垂直方向輪郭強調回路２２とが設けられている。シャープネス処理回路１３に入力した輝度信号Ｙは、水平方向輪郭強調回路２１で水平方向の輪郭強調処理を施された後、垂直方向輪郭強調回路２２で垂直方向の輪郭強調処理を施される。
【００３５】
水平方向輪郭強調回路２１と垂直方向輪郭強調回路２２とは、遅延素子の遅延時間の長さを除いて同一の構成をしている。図４は、代表的に水平方向輪郭強調回路２１のほうの構成を示すブロック図である。水平方向輪郭強調回路２１には、遅延素子３１，３２，３８，３９と、インバータアンプ３３，３４と、加算器３５，４０，４２と、リミッタ３６，３７と、アンプ４１とが設けられている。遅延素子３１，３２，３８，３９は、それぞれ画素クロックにより駆動されるラッチ回路を８個並列に接続したものであり、映像信号を１画素分の時間ずつ遅延させる（垂直方向輪郭強調回路２２のほうでは、この遅延時間が１水平ライン分の時間になっている）。
【００３６】
入力端子１０１からこの水平方向輪郭強調回路２１に入力した輝度信号（ここでは入力信号Ｄ０として表す）は、遅延素子３１で１画素分遅延され、さらに遅延素子３２で１画素分遅延される。また、入力信号Ｄ０にインバータアンプ３３で係数−１／２が乗算されるとともに、遅延素子３２の出力信号Ｄ２にインバータアンプ３４で係数−１／２が乗算される。
【００３７】
そして、遅延素子３１の出力信号Ｄ１とインバータアンプ３３の出力信号−Ｄ０／２とインバータアンプ３４の出力信号−Ｄ２／２とが加算器３５で加算されることにより、入力信号Ｄ０と信号Ｄ１との差分（Ｄ１−Ｄ０）と、信号Ｄ２と信号Ｄ１との差分（Ｄ１−Ｄ２）との和成分である（Ｄ１−Ｄ０）／２＋（Ｄ１−Ｄ２）／２＝Ｄ１−Ｄ０／２−Ｄ２／２が求められる。この和成分自体は、前述の従来の輪郭強調回路（図９）で得られる輪郭補正信号ＡＰと同じである。
【００３８】
この和成分は、リミッタ３６及びリミッタ３７に送られる。リミッタ３６は、入力信号の極性を判別し、正の極性の信号のみを選択する回路である。リミッタ３７は、入力信号の極性を判別し、負の極性の信号のみを選択する回路である。
【００３９】
なお、リミッタ３６，リミッタ３７としては、単に正の極性の信号，負の極性の信号のみを出力するだけでなく、図５に示すように、入力信号のうち振幅レベルの絶対値が一定以下である部分（８ビットのうちの下位の所定ビット数の部分）を出力しない特性の回路を用いてもよい。それにより、リミッタ３６，リミッタ３７を、コアリング処理（微小なノイズ成分が強調されることを防止する処理）を行う回路として兼用することもできる。
【００４０】
図４において、リミッタ３７の出力信号は、遅延素子３８で１画素分遅延され、さらに遅延素子３９で１画素分遅延される。そして、リミッタ３６の出力信号ＡＰｐと遅延素子３９の出力信号ＡＰｍ２とが加算器４０で加算されることにより、輪郭強調信号ＡＰ’が得られる。
【００４１】
この輪郭補正信号ＡＰ’は、アンプ４１で係数ｋ（例えば０．０から１．３の間の値）を乗算されることによって利得制御されて、加算器４２で遅延素子３２の出力信号Ｄ２に重畳される。このようにして、輪郭強調処理を施された信号Ｄ２＋ＡＰ’×ｋが得られ、この信号Ｄ２＋ＡＰ’×ｋが水平方向輪郭強調回路２１の出力端子１０２から出力される。
【００４２】
図６は、この水平方向輪郭強調回路２１による入力信号Ｄ０の輪郭強調の様子を例示する波形図である（縦軸・横軸の振幅・時間の数値は、それぞれ正規化した値である）。図６（ａ）に示すように、２Ｔパルスの立ち上がり波形を持った信号Ｄ０が水平方向輪郭強調回路２１にの輪郭強調回路に入力したとする。前述のように、２Ｔパルスは、正弦関数を２乗し、パルス幅を映像信号の帯域の逆数（例えばＮＴＳＣ信号の輝度信号に対しては帯域幅４．２ＭＨｚの逆数である約２４０ナノ秒）にした信号であり、映像信号の帯域特性を測定するのに最も適した信号として知られている。
【００４３】
この入力信号Ｄ０が遅延素子３１，３２で１画素分ずつ遅延されることにより、図６（ａ）に示すように、入力信号Ｄ０を１画素分遅延させた信号Ｄ１と、入力信号Ｄ０を２画素分遅延させた信号Ｄ２とが生成される。
【００４４】
そして、入力信号Ｄ０と信号Ｄ１との差分（Ｄ１−Ｄ０）と、信号Ｄ２と信号Ｄ１との差分（Ｄ１−Ｄ２）との和成分が求められた後、図６（ｂ）に示すように、この和成分のうちの正の極性の信号ＡＰｐと、この和成分のうちの負の極性の信号を２画素分遅延させた信号ＡＰｍ２とが得られる。
【００４５】
この信号ＡＰｐ，ＡＰｍ２は、従来の輪郭強調回路（図９）におけるオーバーシュート成分，プリシュート成分である差分（Ｄ１−Ｄ２），（Ｄ１−Ｄ０）を処理することによって得られた新たなオーバーシュート成分，プリシュート成分である。したがって、信号ＡＰｐと信号ＡＰｍ２とを加算することにより、図６（ｂ）に示すように、新たな輪郭補正信号ＡＰ’＝ＡＰｐ＋ＡＰｍ２が得られる。（図６（ｂ）では、図示の都合上、信号ＡＰｐ，ＡＰｍ２を、輪郭補正信号ＡＰ’に対して上下にシフトさせて描いている。）
【００４６】
そして、この輪郭補正信号ＡＰ’が、係数ｋを乗算することによって利得を制御されて信号Ｄ２に重畳されることにより、図６（ｃ）に示すように、立ち上がり波形が急峻にされるとともに立ち上がり部分の前縁，後縁にそれぞれプリシュート成分，オーバーシュート成分が付加された信号Ｄ２＋ＡＰ’×ｋが得られる。
【００４７】
なお、このように輪郭補正信号ＡＰ’を信号Ｄ１ではなくそれよりも１画素分遅延した信号Ｄ２のほうに重畳するようにしたのは、リミッタ３６の出力信号を時間的に１画素分前に進めるとともにリミッタ３７の出力信号を１画素分遅延させることが可能であれば信号Ｄ１のほうに重畳すればよいが、出力信号を時間的に前に進めることは不可能なので、その代わりにリミッタ３７の出力信号を２画素分遅延させた（輪郭補正信号ＡＰ’を全体として時間的に１画素分遅延させた）ためである。
【００４８】
図６（ｃ）の例では、信号Ｄ２＋ＡＰ’×ｋは、輝度信号の帯域幅が約２倍になるように立ち上がり波形の急峻度が高められるとともに、プリシュート成分やオーバーシュート成分が適度に抑制されている（信号波形の１〜２割程度だけ付加されている）。したがって、画質を劣化させることなく、画像の鮮鋭度を高めることができる。
【００４９】
次に、図３の水平方向輪郭強調回路２１，垂直方向輪郭強調回路２２の構成の変更例を説明する。図７は、水平方向輪郭強調回路２１の構成の変更例を示すブロック図であり、図４と共通する部分には同一の符号を付している。この例では、図４に示した各部に加えて、遅延素子４３とメディアン・フィルタ（中央値フィルタ）４４とが設けられている。
【００５０】
遅延素子３２の出力信号Ｄ２は、遅延素子４３でさらに１画素分遅延される。そして、遅延素子３１の出力信号Ｄ１と、遅延素子４３の出力信号Ｄ３と、加算器４２の出力信号Ｄ２＋ＡＰ’×ｋとが、メディアン・フィルタ４４に送られる。メディアン・フィルタ４４では、それらの３つの信号のうちの中央値の信号が選択される。そして、この中央値の信号が、水平方向輪郭強調回路２１の出力端子１０２から出力される。
【００５１】
図８は、この変更例に係る水平方向輪郭強調回路２１による入力信号Ｄ０の輪郭強調の様子を、図６と対応させて示す波形図である（縦軸・横軸の振幅・時間の数値は、それぞれ正規化した値である）。図８（ａ）に示すように、入力信号Ｄ０をそれぞれ１画素分，２画素分遅延させた信号Ｄ１，Ｄ２に加えて、入力信号Ｄ０を３画素分遅延させた信号Ｄ３が生成される。
【００５２】
そして、図８（ｂ）に示すような、信号Ｄ１と、信号Ｄ３と、信号Ｄ２＋ＡＰ’×ｋとがメディアン・フィルタ４４に送られる。なお、この変更例で信号Ｄ３を生成したのは、信号Ｄ２＋ＡＰ’×ｋは入力信号Ｄ０よりも２画素分遅延しているので、この信号Ｄ２＋ＡＰ’×ｋを時間的に前後に挟む信号として、入力信号Ｄ０を１画素分遅延させた信号Ｄ１以外に、入力信号Ｄ０を３画素分遅延させた信号を必要としたためである。
【００５３】
この図８（ｂ）にも表れているように、信号Ｄ２＋ＡＰ’×ｋの立ち上がり波形の前縁部分では、信号Ｄ１，信号Ｄ３，信号Ｄ２＋ＡＰ’×ｋのうち、信号Ｄ３が中央値の信号である。したがって、この前縁部分では、図８（ｃ）に示すように、メディアン・フィルタ４４で信号Ｄ３が選択されるので、プリシュート成分を全く含まない信号が水平方向輪郭強調回路２１から出力される。
【００５４】
また、信号Ｄ２＋ＡＰ’×ｋの立ち上がり波形の中央部分では、これらの３つの信号のうち、信号Ｄ２＋ＡＰ’×ｋが中央値の信号である。したがって、この中央部分では、図８（ｃ）に示すように、メディアン・フィルタ４４で信号Ｄ２＋ＡＰ’×ｋが選択されるので、立ち上がり波形の急峻度が高められた信号が水平方向輪郭強調回路２１から出力される。
【００５５】
また、信号Ｄ２＋ＡＰ’×ｋの立ち上がり波形の後縁部分では、これらの３つの信号のうち、信号Ｄ１が中央値の信号である。したがって、この後縁部分では、図８（ｃ）に示すように、メディアン・フィルタ４４で信号Ｄ１が選択されるので、オーバーシュート成分を全く含まない信号が水平方向輪郭強調回路２１から出力される。
【００５６】
このようにして、この変更例では、立ち上がり波形の急峻度を入力信号Ｄ０の約２倍に高めるとともに、プリシュート成分やオーバーシュート成分を完全に抑制することができる。
【００５７】
なお、以上の例では、各遅延素子３１，３２，３８，３９，４３の遅延時間をそれぞれ１画素分の時間としている。しかし、これに限らず、これらの遅延素子の遅延時間を、１画素分の時間よりも幾分ずらした時間に設定するようにしてもよい。
【００５８】
また、以上の例では、シャープネス処理回路１３に、水平方向輪郭強調回路２１と垂直方向輪郭強調回路２２とを設けている。しかし、別の例として、水平方向輪郭強調回路２１だけをシャープネス処理回路１３に設けるようにしてもよい。
【００５９】
また、以上の例では、水平方向輪郭強調回路２１や垂直方向輪郭強調回路２２には、図１のＡ／Ｄ変換器３でデジタル変換された信号が入力するようになっている。しかし、これに限らず、アナログ信号を水平方向輪郭強調回路２１や垂直方向輪郭強調回路２２に入力させるようにしてもよい。その場合には、例えば、図４や図６の各遅延素子を、それぞれ１画素分の遅延時間を有する遅延線で構成したり、図４や図６のリミッタ３６及び３７を整流回路で構成するようにすればよい。
【００６０】
また、以上の例では、表示素子としてＰＤＰを用いたテレビジョン受像機用の映像信号処理装置に本発明を適用している。しかし、これに限らず、ＰＤＰ以外の表示素子（例えばＬＣＤ）を用いたテレビジョン受像機用の映像信号処理装置や、さらにはビデオカメラ用の映像信号処理装置にも本発明を適用してよい。
【図面の簡単な説明】
【００６１】
【図１】本発明を適用したテレビジョン受像機用の映像信号処理装置の全体構成を示すブロック図である。
【図２】図１のＹ色差ＲＧＢ処理部の構成を示すブロック図である。
【図３】図２のシャープネス処理回路の構成を示すブロック図である。
【図４】図３の水平方向輪郭強調回路の構成を示すブロック図である。
【図５】図４のリミッタの入出力特性の変更例を示す図である。
【図６】図４の水平方向輪郭強調回路による入力信号の輪郭強調の様子を例示する波形図である。
【図７】図３の水平方向輪郭強調回路の構成の変更例を示すブロック図である。
【図８】図７の水平方向輪郭強調回路による入力信号の輪郭強調の様子を例示する波形図である。
【図９】従来の輪郭強調回路の構成例を示すブロック図である。
【図１０】図９の輪郭強調回路による入力信号の輪郭強調の様子を例示する波形図である。
【符号の説明】
【００６２】
１      アンテナ
２      フロントエンド部
３      Ａ／Ｄ変換器
４      デコーダ
５      スキャンコンバータ
６      Ｙ色差ＲＧＢ処理部
７      パネルドライバー
８      ＰＤＰ
１３    シャープネス処理回路
２１    水平方向輪郭強調回路
２２    垂直方向輪郭強調回路
３１    遅延素子
３２    遅延素子
３３    インバータアンプ
３４    インバータアンプ
３５    加算器
３６    リミッタ
３７    リミッタ
３８    遅延素子
３９    遅延素子
４０    加算器
４１    アンプ
４２    加算器
４３    遅延素子
４４    メディアン・フィルタ
【図１】
2005223848.tif 000003
【図２】
2005223848.tif 000004
【図３】
2005223848.tif 000005
【図４】
2005223848.tif 000006
【図５】
2005223848.tif 000007
【図６】
2005223848.tif 000008
【図７】
2005223848.tif 000009
【図８】
2005223848.tif 000010
【図９】
2005223848.tif 000011
【図１０】
2005223848.tif 000012